(57)【要約】      （修正有）【課題】監視カメラの視野内を通過する車輌を撮影した画像を効率よく保管することを可能とした画像処理による通過列車撮影装置を提供する。【解決手段】画像処理による通過列車撮影装置を、車輌の接近を検知して信号を出力する車輌接近警報部１と、車輌の屋根上を撮影する監視カメラ３と、監視カメラ３によって撮影された画像から車輌を検出する進入車輌検出部４３、監視カメラによって撮影された画像を記録する録画部４４、及び、車輌接近警報部１から送信される列車接近信号に基づいて監視カメラ３の起動及び停止を制御するとともに進入車輌検出部４３から送信される車輌の有無に基づいて録画部４４による画像の記録の開始及び停止を制御する制御部４２を備える画像処理装置とから構成した。【選択図】図２
2010124084.tif 000002
【特許請求の範囲】
【請求項１】
車輌の接近を検知して信号を出力する車輌接近警報手段と、前記車輌の屋根上を撮影する撮影手段と、前記撮影手段によって撮影された画像を処理する画像処理手段とを備えた画像処理による通過列車撮影装置において、
前記画像処理手段が、
前記撮影手段によって撮影された画像から車輌を検出する車輌検出手段と、
前記撮影手段によって撮影された画像を記録する録画手段と、
前記車輌接近警報手段から送信される列車接近信号に基づいて前記撮影手段の起動及び停止を制御するとともに、前記車輌検出手段から送信される前記車輌の有無に基づいて前記録画手段による前記画像の記録の開始及び停止を制御する制御手段とを備える
ことを特徴とする画像処理による通過列車撮影装置。
【請求項２】
前記車輌検出手段が、予め設定する基準画像と、前記撮影手段によって撮影された入力画像との絶対値差分演算により前記入力画像中から前記車両を検出する進入車輌検出手段である
ことを特徴とする請求項１記載の画像処理による通過列車撮影装置。
【請求項３】
前記車輌検出手段が、予め設定する基準画像と、前記撮影手段によって撮影された入力画像との正規化相関演算により前記入力画像中から前記車両を検出する進入車輌検出手段である
ことを特徴とする請求項１記載の画像処理による通過列車撮影装置。
【請求項４】
前記車輌検出手段が、予め設定する特徴データと、前記撮影手段によって撮影された入力画像から抽出した特徴データとを比較することにより前記入力画像中から前記車両を検出する物体形状検査手段である
ことを特徴とする請求項１記載の画像処理による通過列車撮影装置。
【請求項５】
前記車輌検出手段が、前記撮影手段によって撮影された入力画像を多数の小領域に分割し、予め取得した背景画像と前記入力画像のそれぞれ対応する前記小領域の相関計算を行い、前記相関計算による相関値の時間的な変化が所定の値より大きい前記小領域を変化小領域として検出し、隣接する前記変化小領域を結合して変化検出部分領域を求め、前記変化検出部分領域の幾何学的特徴量を算出し、前記幾何学的特徴量が予め設定した前記列車に対応する特徴量範囲内である場合に前記車輌が進入したと検出する進入検知手段である
ことを特徴とする請求項１記載の画像処理による通過列車撮影装置。
【発明の詳細な説明】
【技術分野】
【０００１】
本発明は、走行する列車の屋根上の状態を撮影する装置に関するものであり、特に線路上方に設置された監視カメラの画像により列車の進入を検知し、監視カメラの視野内を通過する列車の屋根上の状態を撮影する画像処理による通過列車撮影装置に関する。
【背景技術】
【０００２】
監視カメラの視野内を通過する列車の屋根上の状態を撮影する装置としては、線路上方にカメラと照明を設置する一方、録画装置を屋内に設置し、車輌接近警報装置と連動して録画を実施する装置が一般的に用いられている。このような装置は、例えば列車が接近した際に車輌接近警報装置が発生する列車接近信号を基に、照明点灯と録画開始を行い、列車接近信号が発生している期間の画像を録画することで、その間に監視カメラの視野内を通過する列車の屋根上を撮影している。そして、撮影の開始と終了の基準となる列車接近信号を発生する車輌接近警報装置にはいくつかの提案が行われている。
【０００３】
特許文献１には、磁石を利用して振動センサをレールに直接取り付け、鉄道車輌が接近する際の振動を検出して列車接近信号を発生させるようにした技術が開示されている。また、特許文献２には、電車電流検出センサをレールにマグネットを介して取り付け、センサの出力を演算処理装置に内蔵されたアンプに接続し、演算処理部で処理された結果により警報器を鳴らすようにした技術が開示されている。また、特許文献３には、送信手段と受信手段を備え、送信手段で探査信号をレールに送信し、近づいた軌道車両に反射された反射信号を受信手段で受信し、受信手段による反射信号の受信に応動して警報を発するようにした技術が開示されている。
【０００４】
【特許文献１】特開２００１−３９３０４号公報
【特許文献２】特開２００２−３３７６８７号公報
【特許文献３】特開平９−１３２１４１号公報
【発明の開示】
【発明が解決しようとする課題】
【０００５】
しかしながら、上述した特許文献１〜３に記載されたものは、線路近傍で作業する工事作業者に列車の接近を報知するための装置である。よって、これらの車輌接近警報装置は、工事作業者が退避するために充分な時間を確保できるように作業現場から所定の距離だけ離れた位置において列車を検出するように構成されている。そのため、通過列車撮影装置において、車輌接近警報装置の発生する列車接近信号を基に録画の開始及び終了を行う場合、実際にカメラの視野内を列車が通過する以前から列車を撮影することとなり、列車が監視カメラの視野内を通過している時間以外に撮影を実施する時間が発生する。
【０００６】
このような場合、列車の撮影されていない不要な画像データが存在することとなり、録画装置の多くの画像保管領域が使用されるとともに、保管画像から通過列車の屋根上の状態を確認する作業を行う際には、画像データの中から列車が映っている画像部分を探索する必要があり、作業性の低下に繋がるおそれがあった。
【０００７】
このようなことから本発明は、監視カメラの視野内を通過する列車を撮影した画像の保管を効率よく行うことを可能とした画像処理による通過列車撮影装置を提供することを目的とする。
【課題を解決するための手段】
【０００８】
上記の課題を解決するための第１の発明に係る画像処理による通過列車撮影装置は、車輌の接近を検知して信号を出力する車輌接近警報手段と、前記車輌の屋根上を撮影する撮影手段と、前記撮影手段によって撮影された画像を処理する画像処理手段とを備えた画像処理による通過列車撮影装置において、前記画像処理手段が、前記撮影手段によって撮影された画像から車輌を検出する車輌検出手段と、前記撮影手段によって撮影された画像を記録する録画手段と、前記車輌接近警報手段から送信される列車接近信号に基づいて前記撮影手段の起動及び停止を制御するとともに、前記車輌検出手段から送信される前記車輌の有無に基づいて前記録画手段による前記画像の記録の開始及び停止を制御する制御手段とを備えることを特徴とする。
【０００９】
第２の発明に係る画像処理による通過列車撮影装置は、第１の発明に係る画像処理による通過列車撮影装置において、前記車輌検出手段が、予め設定する基準画像と、前記撮影手段によって撮影された入力画像との絶対値差分演算により前記入力画像中から前記車両を検出する進入車輌検出手段であることを特徴とする。
【００１０】
第３の発明に係る画像処理による通過列車撮影装置は、第１の発明に係る画像処理による通過列車撮影装置において、前記車輌検出手段が、予め設定する基準画像と、前記撮影手段によって撮影された入力画像との正規化相関演算により前記入力画像中から前記車両を検出する進入車輌検出手段であることを特徴とする。
【００１１】
第４の発明に係る画像処理による通過列車撮影装置は、第１の発明に係る画像処理による通過列車撮影装置において、前記車輌検出手段が、予め設定する特徴データと、前記撮影手段によって撮影された入力画像から抽出した特徴データとを比較することにより前記入力画像中から前記車両を検出する物体形状検査手段であることを特徴とする。
【００１２】
第５の発明に係る画像処理による通過列車撮影装置は、第１の発明に係る画像処理による通過列車撮影装置において、前記車輌検出手段が、前記撮影手段によって撮影された入力画像を多数の小領域に分割し、予め取得した背景画像と前記入力画像のそれぞれ対応する前記小領域の相関計算を行い、前記相関計算による相関値の時間的な変化が所定の値より大きい前記小領域を変化小領域として検出し、隣接する前記変化小領域を結合して変化検出部分領域を求め、前記変化検出部分領域の幾何学的特徴量を算出し、前記幾何学的特徴量が予め設定した前記列車に対応する特徴量範囲内である場合に前記車輌が進入したと検出する進入検知手段であることを特徴とする。
【発明の効果】
【００１３】
本発明の第１の発明に係る画像処理による通過列車撮影装置によれば、撮影手段によって撮影している画像中に車輌が撮影されている間のみ、撮影手段によって撮影した画像を録画手段に記録することができるため、車輌が撮影されている画像データを保管するためだけに録画手段の画像保管領域を使用することができ、録画手段の保管領域を効率よく使用することができる。このため、保管画像から通過列車の屋根上の状態を確認する作業を行う際には、列車が映っている画像部分を探索する作業を省略することができ、作業の高効率化が実現できる。
【００１４】
また、本発明の第２の発明に係る画像処理による通過列車撮影装置によれば、簡素な構成で第１の発明による効果を得ることができる。
【００１５】
また、本発明の第３の発明に係る画像処理による通過列車撮影装置によれば、第１の発明の効果に加えて、検知エリア全体に対する一様な照度変化に頑健で、日中に日が陰るような広範囲な照度変化が発生した場合でも過剰反応することなく、列車の進入を安定して検知できる。
【００１６】
また、本発明の第４の発明に係る画像処理による通過列車撮影装置によれば、第１の発明の効果に加えて、部分的な照度変化が発生する明け方や、偏った夜間照明が存在した場合でも安定した列車進入検知を行うことができる。
【００１７】
また、本発明の第５の発明に係る画像処理による通過列車撮影装置によれば、第１の発明の効果に加えて、進入列車を検出するために予め特徴データを設定する等の必要がないため、現地調整時間を短縮することができ、作業性が向上する。
【発明を実施するための最良の形態】
【００１８】
以下、図面を用いて本発明に係る画像処理による通過列車撮影装置の詳細を説明する。
【実施例１】
【００１９】
図１乃至図５に基づいて、本発明に係る画像処理による通過列車撮影装置の第１の実施例を説明する。図１は本実施例に係る画像処理による通過列車撮影装置の設置例を示す説明図、図２は本実施例に係る画像処理による通過列車撮影装置の構成を示すブロック図、図３は本実施例の進入車輌検出部の構成を示すブロック図、図４は本実施例における検知エリアの設定例を示す説明図、図５は本実施例の進入車輌検出部における処理の流れを示すフローチャートである。
【００２０】
図１及び図２に示すように、本実施例において画像処理による通過列車撮影装置は、車輌６の接近を検知するためのセンサ１ａ、車輌６の屋根上を照らす照明２、車輌６の屋根上の照明２によって照らされる領域を撮影する撮影手段としての監視カメラ３、及びこれらセンサ１ａ、照明２及び監視カメラ３に接続された画像処理手段としての画像処理装置４とから構成されている。
【００２１】
センサ１ａは、例えばレール５の振動等を測定するものであり、レール５に取り付けられるとともに車輌接近警報手段としての車輌接近警報部１に接続されている。車両接近警報部１は、センサ１ａの出力に応じて車輌６の接近の有無を検知するものであり、車輌６が接近していると判断した場合には警報として列車接近信号を画像処理装置４へ送信する。
【００２２】
照明２は、センサ１ａに対して車輌６の進入方向前方に設置され、画像処理装置４からの信号に基づいて点灯及び消灯を行うように構成されている。監視カメラ３は、照明２と概ね同位置に、車輌６の屋根上の照明２によって照らされた領域を撮影するように設置され、画像処理装置４からの信号に基づいて撮影の開始、終了を行うように構成されている。監視カメラ３によって撮影した画像は画像処理装置４へ送信される。
【００２３】
なお、照明２及び監視カメラ３が設置される位置は、センサ１ａから所定の距離だけ離間した位置、具体的には、センサ１ａの出力に基づいて監視カメラ３を起動したときに、車輌６がこの監視カメラ３の視野内に進入する以前にこの監視カメラ３による撮影を開始することができる位置とする。
【００２４】
画像処理装置４は、図２に示す処理設定部４１、制御手段としての制御部４２、進入車輌検出手段としての進入車輌検出部４３、及び録画手段としての録画部４４とを備えて構成されている。
【００２５】
処理設定部４１は、進入車輌検出部４３から取得した車輌６が撮影されていない画像に対して、図４に一例を示すように所定の位置に検知エリアＡを設定すると共に、検知エリアＡ内に車輌６が進入したか否かを判断するための差分検出しきい値を設定し、これらの設定データを処理データとして保管する。
【００２６】
制御部４２は車輌接近警報部１から送信される列車接近信号を受けて、照明２、監視カメラ３、進入車輌検出部４３、及び録画部４４へ起動信号を送信する。また、進入車輌検出部４３からの列車検知信号を受けて、録画部４４へ録画開始信号を送信する。更に、進入車輌検出部４３からの列車消失信号を受けて、録画部４４へ録画停止信号を送信すると共に、照明２、監視カメラ３、進入車輌検出部４３、録画部４４へ停止信号を送信する。
【００２７】
進入車輌検出部４３は、制御部４２からの起動信号を受けて進入車輌検出処理を開始すると共に、処理設定部４１から処理データを読み出し、制御部４２からの停止信号を受けて進入車輌検出処理を停止する。また、進入車輌検出処理中には、監視カメラ３から送信された画像（以下、入力画像という）を解析することで車輌６の進入の有無を検知し、入力画像中に車輌６を検出した場合、列車検知信号を制御部４２へ送信する。更に、車輌６の進入を検知した後で入力画像中に車輌６が検出されなくなった場合、列車消失信号を制御部４２へ送信する。
【００２８】
より詳しく説明すると、進入車輌検出部４３には、図３に示すように画像入力処理部４３ａ、基準画像保管処理部４３ｂ、絶対値差分演算処理部４３ｃ、列車進入判断処理部４３ｄが設けられている。
【００２９】
画像入力処理部４３ａは監視カメラ３から送信される画像を入力する処理を行い、基準画像保管処理部４３ｂは処理設定部４１で予め設定した図４に一例を示す検知エリアＡに基づいて基準画像を保管する処理を行う。また、絶対値差分演算処理部４３ｃは画像入力処理部４３ａに入力された入力画像の検知エリアＡと基準画像保管処理部４３ｂに保管された基準画像との絶対値差分演算を行う。列車進入判断処理部４３ｄは絶対値差分演算処理部４３ｃによって演算した結果に基づいて列車が進入しているか否かを判断し検知結果を出力する処理を行う。
【００３０】
そして、このような進入車輌検出部４３においては、図５に示すような進入車輌検出処理が行われる。すなわち、進入車輌検出部４３では、制御部４２から起動信号を受けると、まず画像入力処理部４３ａにおいて監視カメラ３から送信される画像の入力を行う（ステップＰＡ１）。
【００３１】
続いて、起動直後か否かを判断し（ステップＰＡ２）、起動直後であると判断された場合（Ｙｅｓ）は入力画像に車輌６が撮影されていないとみなし、処理設定部４１から処理データとして予め設定した検知エリアＡ及び差分検出しきい値を入力し（ステップＰＡ３）、その後、基準画像保管処理部４３ｂにおいて入力画像の検知エリアＡ内の画像を基準画像として保管する（ステップＰＡ４）。
【００３２】
一方、ステップＰＡ２で起動直後ではないと判断された場合（Ｎｏ）、絶対値差分演算処理部４３ｃにおいて入力画像の検知エリアＡと基準画像との絶対値差分演算を行う（ステップＰＡ５）。
【００３３】
その後、列車進入判断処理部４３ｄにおいて絶対値差分演算結果がステップＰＡ３において処理設定部４１から入力した差分検出しきい値よりも大きい場合は入力画像に車輌６が撮影されている、即ち、車輌６が進入したと判断する（ステップＰＡ６）。なお、ステップＰＡ６において、絶対値差分演算結果が差分検出しきい値以下の場合は入力画像に車輌６が撮影されていない、即ち、車輌６が進入していない、または車輌６が通過した後であると判断する。
【００３４】
続いて、ステップＰＡ６において判断した車輌６の進入の有無を判断結果として制御部４２に出力する（ステップＰＡ７）。詳しくは、入力画像に車輌６が撮影されていると判断されている間は制御部４２に対して列車検知信号を出力し、車輌６の検知後、入力画像に車輌６が撮影されていないと判断されたら制御部４２に対して列車消失信号を出力する。制御部４２から停止信号を受信するまでこの処理を繰り返す。
【００３５】
このような処理により、進入車輌検出部４３において車輌６の進入の有無の検知が行われる。
【００３６】
録画部４４は、制御部４２からの起動信号を受けて録画機能を起動し、制御部４２からの停止信号を受けて録画機能を停止する。また、制御部４２からの録画開始信号を受けて入力画像の録画を開始し、制御部４２からの録画停止信号を受けて録画を停止する。
【００３７】
このような本実施例に係る画像処理による通過列車撮影装置によれば、監視カメラの視野内を車輌が通過しているときだけ入力画像を録画することができるため、車輌６が撮影されている画像データを保管するためだけに録画部４４の画像保管領域を使用することができる。これにより、保管画像から車輌６の屋根上の状態を確認する作業を行う際には、車輌６が撮影されている画像部分を探索する作業を省くことができ、作業の高効率化が実現できる。
【実施例２】
【００３８】
図６及び図７に基づいて、本発明に係る画像処理による通過列車撮影装置の第２の実施例を説明する。図６は本実施例の進入車輌検出部の構成を示すブロック図、図７は本実施例の進入車輌検出部における処理の流れを示すフローチャートである。
【００３９】
本実施例は、上述した実施例１とは処理設定部４１及び進入車輌検出部４３における処理が異なるものである。その他の構成は図１乃至図５に示し上述した構成と概ね同様であり、以下、実施例１における説明と重複する説明は省略し、異なる部分を中心に説明する。
【００４０】
本実施例において、処理設定部４１は、進入車輌検出部４３から取得した車輌６が撮影されていない入力画像に対し検知エリアＡを設定するとともに、実施例１において設定した差分検出しきい値に代えて、検知エリアＡ内に車輌６が進入したか否かを判断するための相関検出しきい値を設定し、これらのデータを処理データとして保管する。
【００４１】
また、進入車輌検出部４３は、実施例１とは車輌６の進入の有無を検出する処理が異なる。詳しくは図６に示すように、本実施例において進入車輌検出部４３には、画像入力処理部４３ａ、基準画像保管処理部４３ｂ、正規化相関演算処理部４３ｅ、及び列車進入判断処理部４３ｄが設けられている。
【００４２】
画像入力処理部４３ａは監視カメラ３から送信される画像を入力する処理を行い、基準画像保管処理部４３ｂは処理設定部４１で予め設定した図４に一例を示す検知エリアＡに基づいて基準画像を保管する処理を行う。また、正規化相関演算処理部４３ｅは画像入力処理部４３ａに入力された画像と基準画像保管処理部４３ｂに保管された基準画像との正規化相関演算を行う。列車進入判断処理部４３ｄは正規化創刊演算処理部４３ｅによって演算した結果に基づいて車輌６が進入しているか否かを判断し検知結果を出力する処理を行う。
【００４３】
以下、図７を用いてこの進入車輌検出部４３による列車検知処理の流れを説明する。図７に示すように、進入車輌検出部４３では、制御部４２から起動信号を受けると、まず画像入力処理部４３ａにおいて、監視カメラ３から送信された画像を入力する（ステップＰＢ１）。
【００４４】
続いて、起動直後か否かを判断し（ステップＰＢ２）、起動直後であると判断された場合（Ｙｅｓ）は監視カメラ３の視野内に車輌６が進入する前であるとみなし、処理設定部４１から処理データとして予め設定した検知エリアＡ及び相関検出しきい値を入力し（ステップＰＢ３）、その後、基準画像保管処理部４３ｂにおいて、入力画像の検知エリアＡ内の画像を基準画像として保管する（ステップＰＢ４）。
【００４５】
一方、ステップＰＢ２で起動直後ではないと判断された場合（Ｎｏ）、正規化相関演算処理部４３ｅにおいて入力画像の検知エリアＡと基準画像との正規化相関演算を行う（ステップＰＢ５）。
【００４６】
その後、列車進入判断処理部４３ｄにおいて、正規化相関演算結果がステップＰＡ３において処理設定部４１から入力した相関検出しきい値よりも大きい場合は入力画像に車輌６が撮影されている、即ち、車輌６が進入したと判断する（ステップＰＢ６）。なお、ステップＰＡ６において、正規化相関演算結果が相関検出しきい値以下の場合は入力画像に車輌６が撮影されていない、即ち、車輌６が進入していない、または車輌６が通過した後であると判断する。
【００４７】
続いて、ステップＰＡ６において判断した車輌６の進入の有無を判断結果として制御部４２に出力する（ステップＰＢ７）。詳しくは、入力画像に車輌６が撮影されていると判断されている間は制御部４２に対して列車検知信号を出力し、列車検知後、入力画像に車輌６が撮影されていないと判断されたら制御部４２に対して列車消失信号を出力する。制御部４２から停止信号を受信するまでこの処理を繰り返す。
【００４８】
以上の処理により進入車輌検出部４３において車輌６の進入の有無の検知が行われる。
【００４９】
このような本実施例に係る画像処理による通過列車撮影装置によれば、実施例１における効果に加え、基準画像と入力画像との比較を正規化相関演算によって判断し、列車進入の有無を判断するため、実施例１に比較して演算は複雑になるが、検知エリア全体に対する一様な照度変化に頑健で、日中に日が陰るような広範囲な照度変化が発生した場合でも過敏反応することなく、車輌６の進入の有無を安定して検知できる。
【実施例３】
【００５０】
図８乃至図１２に基づいて本発明に係る画像処理による通過列車撮影装置の第３の実施例を説明する。図８は本実施例に係る画像処理による通過列車撮影装置の構造を示すブロック図、図９は本実施例の物体形状検査部の構成を示すブロック図、図１０は物体形状モデルの例を示す説明図、図１１は本実施例の処理設定部における物体形状モデル作製の流れを示すフローチャート、図１２は本実施例の物体形状検査部における処理の流れを示すフローチャートである。
【００５１】
本実施例は、上述した実施例１と画像処理装置４の構成が異なるものである。具体的には、画像処理装置４が、実施例１において説明した進入車輌検出部４３に代えて、図８に示す物体形状検査手段としての物体形状検査部４５を備えるとともに、処理設定部４１及び制御部４２における処理が実施例１とは異なっている。
【００５２】
その他の構成は実施例１において説明した構造と概ね同様であり、以下、実施例１において説明した部材と同一の部材には同一の符合を付して重複する説明は省略し、実施例１と異なる点を中心に説明する。
【００５３】
本実施例に係る画像処理による通過列車撮影装置は、装置モードとして形状モデル作製モード及び列車進入検知モードの二つの処理形態を設定可能に構成され、この装置モードに応じて異なる処理を行うようにしたものであって、画像処理装置４は、図８に示す処理設定部４１、制御部４２、物体形状検査部４５、及び録画部４４とを備えて構成されている。なお、形状モデル作製モードでは線路部分の物体形状モデルＭ（図１０参照）を作製する処理、列車進入検知モードでは車輌６の進入の有無を検知する処理を行う。
【００５４】
本実施例の画像処理装置４において、処理設定部４１は、装置モードとして「形状作製モード」または「列車進入検知モード」を設定する。また、物体形状検査部４５から取得した車輌６が撮影されていない入力画像に対して、図４に一例を示すように所定の位置に検知エリアＡを設定する。また、物体形状モデル作製用画像の取得、特徴抽出パラメータの設定、物体形状モデルＭの作製、物体形状検査パラメータ設定のための設定処理を行う。これらの設定データは処理データとして保管される。
【００５５】
制御部４２は処理設定部４１から装置モードを入力し、装置モードが「形状モデル作製モード」である場合は、照明２、監視カメラ３、物体形状検査部４５、及び録画部４４へ起動信号を送信する。そして、装置モードが「形状モデル作製モード」から「列車進入検知モード」へ変更された場合には、照明２、監視カメラ３、物体形状検査部４５、及び録画部４４へ停止信号を送信する。そして、車輌接近警報部１から送信される列車接近信号を受けて、照明２、監視カメラ３、物体形状検査部４５、及び録画部４４へ起動信号を送信する。さらに、物体形状検査部４５からの列車検知信号を受けて、録画部４４へ録画開始を送信する。また、物体形状検査部４５からの列車消失信号を受けて、録画部４４へ録画停止信号を送信すると共に、照明２、監視カメラ３、物体形状検査部４５、及び録画部４４へ停止信号を送信する。
【００５６】
物体形状検査部４５は、制御部４２からの起動信号を受けて処理設定部４１から装置モードを入力し、この装置モードに応じて形状モデル作製処理または列車進入検知処理を開始し、制御部４２からの停止信号を受けて形状モデル作製処理または列車進入検知処理を停止する。
【００５７】
以下、形状モデル作製処理及び列車進入検知処理についてより詳しく説明する。図９に示すように、物体形状検査部４５には画像入力処理部４５ａ、特徴抽出処理部４５ｂ、物体形状モデル設定処理部４５ｃ、特徴データ照合処理部４５ｄ、及び列車進入判断処理部４５ｅが設けられている。
【００５８】
画像入力処理部４５ａは監視カメラ３から送信される画像を入力する処理を行い、特徴抽出処理部４５ｂは画像入力処理部４５ａにおいて取得した入力画像中の特徴を抽出する処理を行う。物体形状モデル設定処理部４５ｃは図１０に一例を示す物体形状モデルＭを設定する処理を行う。また、特徴データ照合処理部４５ｄは物体形状モデルＭの特徴データと監視カメラ３から入力された入力画像の特徴データとの照合を行う。列車進入判断処理部４３ｄは特徴データ照合処理部４５ｄによって特徴データを照合した結果に基づいて車輌６が進入しているか否かを判断し検知結果を出力する処理を行う。
【００５９】
このような物体形状検査部４５において、装置モードとして処理設定部４１から形状モデル作製モードが送信されている場合は、図１１に示す処理が行われる。
【００６０】
即ち、物体形状検査部４５が制御部４２から起動信号を受けると、物体形状モデル設定処理部４５ｃにおいて、まず、処理設定部４１から、該処理設定部４１において入力画像の中から物体形状モデル作製用として予め選択された物体形状モデル作製用画像を取得する（ステップＰＣ１）。
【００６１】
続いて、ステップＰＣ１で取得した物体形状モデル作製用画像を解析し、物体形状モデル作製用画像中に存在する物体の輪郭や模様等の特徴的な部分を、直線もしくは円弧に近似して抽出した直線特徴と円弧特徴からなる特徴データとして抽出する（ステップＰＣ２）。
【００６２】
続いて、特徴データから特に車輌６の存在していない線路部分の直線特徴と円弧特徴とを選択し（ステップＰＣ３）、これを物体形状モデルＭの特徴データとして登録する（ステップＰＣ４）。
【００６３】
このような処理により、物体形状検査部４５において物体形状モデルＭの作製が行われる。
【００６４】
また、装置モードとして処理設定部４１から列車進入検知モードが送信されている場合は、図１２に示す処理が行われる。
【００６５】
即ち、物体形状検査部４５は、制御部４２から起動信号を受けると、まず、起動直後か否かを判断し（ステップＰＤ１）、起動直後であると判断された場合（Ｙｅｓ）は、処理設定部４１から処理データとして予め設定された画像中の検知エリアＡ、特徴抽出パラメータ、物体形状モデルＭ、物体形状検査パラメータを入力する（ステップＰＤ２）。ステップＰＤ１で起動直後ではないと判断された場合（Ｎｏ）またはステップＰＤ２に続いては、画像入力処理部４５ａにおいて監視カメラ３から送信される画像を入力する（ステップＰＤ３）。
【００６６】
特徴抽出処理部４５ｂにおいて、入力画像を解析し、この画像中の検知エリアＡ内に存在する物体の輪郭や模様等の特徴的な部分を直線もしくは円弧に近似して抽出した直線特徴と円弧特徴からなる特徴データとして抽出し（ステップＰＤ４）、次いで、特徴データ照合処理部４５ｄにおいて処理設定部４１から入力した物体形状モデルＭに登録された特徴データと、入力画像から抽出した特徴データとを照合する（ステップＰＤ５）。
【００６７】
続いて、列車進入判断処理部４５ｅにおいて、特徴データ照合処理部４５ｄにおいて照合した特徴データ同士が処理設定部４１において予め設定した物体形状検査パラメータの範囲内で相似している場合は、二つの特徴データが適合したとみなして入力画像に車輌６が撮影されている、即ち、車輌６が進入したと判断する（ステップＰＤ６）。なお、特徴データ照合処理部４５ｄにおいて照合した特徴データ同士が、処理設定部４１において予め設定した物体形状検査パラメータの範囲内で相似していない場合は、二つの特徴データが不適合とみなして入力画像に車輌６が撮影されていない、即ち、車輌６が進入していない、または車輌６が通過したと判断する。
【００６８】
続いて、ステップＰＤ６において判断した車輌６の進入の有無を判断結果として制御部４２に出力する（ステップＰＤ７）。詳しくは、入力画像に車輌６が撮影されていると判断されている間は制御部４２に対して列車検知信号を出力し、列車の検知後、入力画像に車輌６が撮影されていないと判断されたら制御部４２に対して列車消失信号を出力する。制御部４２から停止信号を受信するまでこの処理を繰り返す。
【００６９】
このような処理により、物体形状検査部４５において列車進入検知処理が行われる。
【００７０】
このような本実施例に係る画像処理による通過列車撮影装置によれば、車輌６が監視カメラ３の視野内に撮影されている間だけ入力画像を録画するため、車輌６が撮影されている画像データを保管するためだけに録画部４４の画像保管領域を使用することができる。そのため、保管画像から車輌６の屋根上の状態を確認する作業を行う際には、車輌６が撮影されている画像部分を探索する作業を省くことができ、作業の高効率化が実現できる。
【００７１】
また、入力画像から抽出した特徴をもとに判断するため、実施例１、実施例２のように画像自体を比較する手法に比べて照度変化により頑健で、部分的な照度変化が発生する明け方や、偏った夜間照明が存在した場合でも安定した列車進入検知を行うことができる。
【実施例４】
【００７２】
図１３乃至図１６を用いて本発明に係る画像処理による通過列車撮影装置の第４の実施例を説明する。
【００７３】
図１３は本実施例に係る画像処理による通過列車撮影装置の構造を示すブロック図、図１４は本実施例の進入検知部の構成を示すブロック図、図１５は本実施例の進入検出部による画像処理の流れを示す説明図、図１６は本実施例の進入検出部における処理結果の一例を示す説明図である。
【００７４】
本実施例は、上述した実施例１とは画像処理装置４の構成が異なるものである。具体的には、実施例１における画像処理装置４の進入車輌検出部４３に代えて、図１３に示す進入検知手段としての進入検知部４６を備えるとともに、実施例１とは処理設定部４１及び制御部４２における処理が異なるものである。その他の構成は実施例１において説明した構造と概ね同様であり、以下、実施例１において説明した部材と同一の部材には同一の符合を付して重複する説明は省略し、実施例１と異なる点を中心に説明する。
【００７５】
本実施例の画像処理装置４は、図１３に示す処理設定部４１、制御部４２、進入検知部４６、及び録画部４４を備えて構成されている。
【００７６】
処理設定部４１では、進入検知部４６から取得した車輌６が撮影されていない入力画像に対し、図４に一例を示すように所定の位置に検知エリアＡを設定すると共に、検知エリアＡ内に車輌６が進入したか否か判断するための幾何学的特徴量の範囲を設定し、これらの設定データを処理データとして保管する。
【００７７】
制御部４２では、車輌接近警報部１からの列車接近信号を受けて、照明２、監視カメラ３、進入検知部４６、録画部４４へ起動信号を送信する。また、進入検知部４６からの列車検知信号を受けて録画部４４へ録画開始信号を送信する。また、進入検知部４６からの列車消失信号を受けて録画部４４へ録画停止信号を送信するとともに、照明２、監視カメラ２、進入検知部４６、録画部４４へ停止信号を送信する。
【００７８】
進入検知部４６では、制御部４２からの起動信号を受けて進入検知処理を開始すると共に、処理設定部４１から処理データを読み出し、制御部４２からの停止信号を受けて進入検知処理を停止する。また、進入検知処理中には、入力画像を解析することで車輌６の進入を検知し、入力画像中に車輌６を検知した場合、列車検知信号を制御部４２へ送信する。更に、車輌６の進入を検知した後で入力画像中に車輌６が検知されなくなった場合、列車消失信号を制御部４２へ送信する。
【００７９】
より詳しく説明すると、図１４に示すように進入検知部４６には、画像入力処理部４６ａ、基準画像保管処理部４６ｂ、変化検出部分領域検出処理部４６ｃ、及び幾何学的特徴量検査処理部４６ｄが設けられている。
【００８０】
画像入力処理部４６ａは監視カメラ３から送信される画像を入力する処理を行い、基準画像保管処理部４６ｂは処理設定部４１で予め設定した図４に一例を示す検知エリアＡに基づいて基準画像を保管する処理を行う。また、変化検出部分領域検出処理部４６ｃは画像入力処理部４６ａに入力された入力画像と基準画像保管処理部４６ｂに保管された基準画像との相関計算を行う。幾何学的特徴量検査処理部４６ｄは変化検出部分領域検出処理部４６ｃによって演算した結果に基づいて車輌６が進入しているか否かを判断し検知結果を出力する処理を行う。
【００８１】
この進入検知部４６においては、以下に示す流れで進入検知処理が行われる。すなわち、進入検知部４６では、基準画像保管処理部４６ｂにおいて、車輌６が撮影されていない画像（図４参照）を予め取得し、これを基準画像データとして保管しておく。
【００８２】
そして、制御部４２から起動信号を受けると、処理設定部４１から処理データとして入力画像中の検知エリアＡ及び幾何学的特量の範囲を入力するとともに、画像入力処理部４６ａにおいて監視カメラ３から送信される画像を入力する。続いて、変化検出部分領域検出処理部４６ｃにおいて、基準画像及び入力画像７を適当な小領域７１（図１５（ａ）参照）に分割する。
【００８３】
その後、予め画像中の車輌６が通過する部分に設定しておいた検知エリアＡにおいて、一つ一つの小領域７１に対応する基準画像データと入力画像データとの相関計算を行い、相関値の時間的な変化を基にして入力画像中に設定した小領域７１の中から、変化の発生を検出した変化小領域７２と、背景との変化が少ない背景候補小領域７３を検出し（図１５（ｂ）参照）、続いて隣接する変化小領域７２を結合して変化検出部分領域７４を求める（図１５（ｃ）参照）。
【００８４】
続いて、幾何学的特徴量検査処理部４６ｄにおいて、変化検出部分領域７４の幾何学的特徴量が、予め設定した車輌６に対応する幾何学的特徴量の範囲内であるか否かを判断し、変化検出部分領域７４の幾何学的特徴量が、予め設定した車輌６に対応する幾何学的特徴量の範囲内である場合に、入力画像に車輌６が撮影されている、即ち、車輌６が進入したと判断する。なお、変化検出部分領域７４の幾何学的特徴量が、予め設定した車輌６に対応する幾何学的特徴量の所定範囲内でない場合、二つの特徴データが適合しないとみなして入力画像には車輌６が撮影されていない、即ち、車輌６が進入していない、または車輌６が通過した後であると判断する。
【００８５】
続いて、車輌６の進入の有無を制御部４２に出力する。詳しくは、入力画像に車輌６が撮影されていると判断されている間は制御部４２に対して列車検知信号を出力し、車輌６の検知後、入力画像に車輌６が撮影されていないと判断されたら制御部４２に対して列車消失信号を出力する。制御部４２から停止信号を受信するまでこの処理を繰り返す。
【００８６】
このような進入検知処理では、図１６に示すような部分的な照度変化が発生し、図１６中の領域８１，８２が変化検出部分領域として抽出されたとしても、このような変化が各所に分割されるため、幾何学的特徴量検査処理部４６ｄにおける予め設定した車輌６に対応する幾何学的特徴量による判断により車輌６とは区別される。
【００８７】
このような本実施例に係る画像処理による通過列車撮影装置によれば、実施例１、実施例２による効果に加えて、照度変化に頑健で、部分的な照度変化が発生する明け方や、偏った夜間照明が存在した場合でも安定した列車進入検知を行うことができ、また、実施例３に比較して、物体形状モデルＭを設定する必要がないため、撮影地点が多数あったとしても、それぞれの地点で物体形状モデルＭを作製する必要がなく、現地調整作業を大幅に減少させることができる。
【００８８】
なお、本発明は上述した実施例に限定されるものではなく、本発明の趣旨を逸脱しない範囲で種々の変更が可能であることはいうまでもない。
【産業上の利用可能性】
【００８９】
本発明は、画像処理による通過列車撮影装置に適用して好適なものである。
【図面の簡単な説明】
【００９０】
【図１】本発明に係る画像処理による通過列車撮影装置の設置例を示す説明図である。
【図２】本発明の実施例１に係る画像処理による通過列車撮影装置の構成を示すブロック図である。
【図３】本発明の実施例１に係る画像処理による通過列車撮影装置の進入車輌検出部の構成を示すブロック図である。
【図４】本発明の実施例１における検知エリアの設定例を示す説明図である。
【図５】本発明の実施例１に係る画像処理による通過列車撮影装置における進入車輌検出処理の流れを示すフローチャートである。
【図６】本発明の実施例２に係る画像処理による通過列車撮影装置の進入車輌検出部の構成を示すブロック図である。
【図７】本発明の実施例２に係る画像処理による通過列車撮影装置における進入車輌検出処理の流れを示すフローチャートである。
【図８】本発明の実施例３に係る画像処理による通過列車撮影装置の構成を示すブロック図である。
【図９】本発明の実施例３に係る画像処理による通過列車撮影装置の物体形状検査部の構成を示すブロック図である。
【図１０】本発明の実施例３における物体形状モデルの例を示す説明図である。
【図１１】本発明の実施例３に係る画像処理による通過列車撮影装置における物体形状モデル作製処理の流れを示すフローチャートである。
【図１２】本発明の実施例３に係る画像処理による通過列車撮影装置における列車進入検知処理の流れを示すフローチャートである。
【図１３】本発明の実施例４に係る画像処理による通過列車撮影装置の構成を示すブロック図である。
【図１４】本発明の実施例４に係る画像処理による通過列車撮影装置の進入検知部の構成を示すブロック図である。
【図１５】図１５（ａ）は基準画像を小領域に分割する例を示す説明図、図１５（ｂ）は入力画像を変化小領域及び背景候補小領域の設定例を示す説明図、図１５（ｃ）は変化小領域を変化検出部分領域の設定例を示す説明図である。
【図１６】変化検出部分領域の設定例を示す他の説明図である。
【符号の説明】
【００９１】
１  車輌接近警報部
１ａ  センサ
２  照明
３  監視カメラ
４  画像処理装置
４１  処理設定部
４２  制御部
４３  進入車輌検出部
４３ａ  画像入力処理部
４３ｂ  基準画像保管処理部
４３ｃ  絶対値差分演算処理部
４３ｄ  列車進入判断処理部
４４  録画部
４５  物体形状検査部
４５ａ  画像入力処理部
４５ｂ  特徴抽出処理部
４５ｃ  物体形状モデル設定処理部
４５ｄ  特徴データ照合処理部
４５ｅ  列車進入判断処理部
４６  進入検知部
４６ａ  画像入力処理部
４６ｂ  基準画像保管処理部
４６ｃ  変化検出部分領域検出処理部
４６ｄ  幾何学的特徴量検査処理部
５  レール
６  車輌
７  入力画像
７１  小領域
７２  変化小領域
７３  背景候補小領域
７４  変化検出部分領域
Ａ  検知エリア
Ｍ  物体形状モデル
【図１】
2010124084.tif 000003
【図２】
2010124084.tif 000004
【図３】
2010124084.tif 000005
【図４】
2010124084.tif 000006
【図５】
2010124084.tif 000007
【図６】
2010124084.tif 000008
【図７】
2010124084.tif 000009
【図８】
2010124084.tif 000010
【図９】
2010124084.tif 000011
【図１０】
2010124084.tif 000012
【図１１】
2010124084.tif 000013
【図１２】
2010124084.tif 000014
【図１３】
2010124084.tif 000015
【図１４】
2010124084.tif 000016
【図１５】
2010124084.tif 000017
【図１６】
2010124084.tif 000018